(57)【要約】【課題】テスターを用いて乾電池の端子電圧を、簡単、且つ正確に計測することができる電圧測定支援アダプタの提供。【解決手段】  電圧測定支援アダプタＡは、正極・負極用の鉄製金具１、２の薄板部１１、２１の裏面に永久磁石４、４を接着剤３で固定し、鉄製金具１、２の筒状部１２、２２には、テスターリード線５１、５３の針状プローブ５２、５４が嵌め込まれる。  乾電池６の正極６１・負極６２に、正極・負極用の鉄製金具１、２の薄板部１１、２１の表面を臨ませると、永久磁石４の磁力により、薄板部１１、２１の表面が乾電池６の正極６１・負極６２に適切な同じ力で押し付けられる。このため、テスター５を用いて乾電池６の端子電圧を、簡単、且つ正確に計測することができる。【選択図】図１
2017072525.tif 000002
【特許請求の範囲】
【請求項１】
テスターと電気接続される筒状部および薄板部を有する導電性金具と、
該導電性金具の前記薄板部の裏面に接着剤で固定される板状の永久磁石とからなり、
乾電池の電極に前記導電性金具の前記薄板部の表面を磁着させて電圧測定を行うことを特徴とする電圧測定支援アダプタ。
【請求項２】
前記テスターのテスターリード線の先端に配設した針状プローブを前記導電性金具の前記筒状部へ嵌め込んで、前記テスターと前記導電性金具とを電気接続することを特徴とする請求項１に記載の電圧測定支援アダプタ。
【請求項３】
前記テスタの測定端子と前記導電性金具の筒状部とを可撓被覆電線で接続して前記テスターと前記導電性金具とを電気接続することを特徴とする請求項１に記載の電圧測定支援アダプタ。
【請求項４】
可撓被覆電線の基端を前記導電性金具の筒状部に接続し、前記可撓被覆電線の先端に筒状体を取り付け、
前記テスターのテスターリード線の先端に配設した針状プローブを前記筒状体に嵌め込んで、前記テスターと前記導電性金具とを電気接続することを特徴とする請求項１に記載の電圧測定支援アダプタ。
【請求項５】
可撓被覆電線の基端を前記導電性金具の筒状部に接続し、テスターの測定端子に嵌め込むための針状端子を前記可撓被覆電線の先端に配設したことを特徴とする請求項１に記載の電圧測定支援アダプタ。
【発明の詳細な説明】
【技術分野】
【０００１】
本発明は、電気残量を把握する目的で、テスターにより乾電池の端子電圧を測定する際に使用する電圧測定支援アダプタに関する。
【背景技術】
【０００２】
乾電池は、時間経過などにより、使わなくても電気残量が徐々に減っていく。
複数個の乾電池を使う電気機器の場合は、乾電池の発熱防止や内部放電による劣化防止のため、電気残量が同程度の乾電池を選び、それらを電気機器の電池ケースに入れて使うのが好ましい。
【０００３】
通常、乾電池の電気残量は、テスターを用意し、テスターリード線の二本のプロープを乾電池の正極と負極に接触させれば、計測した端子電圧の大きさから大凡、把握することができる。
しかし、二本のプロープを同じ力で強く乾電池の電極に押し付けないと、接触抵抗により、低い値が計測されたり、電圧値が変動して計測されてしまう。また、二本のプロープを左右の手で持つ必要があり、両手が塞がってしまう。
【０００４】
上記不具合は、下記の特許文献１、２に記載の技術によって解決することができる。
特許文献１には、電気容量（残量）を本体に表示させる乾電池が記載されている。
特許文献２には、電池残量表示ライトにより電気容量（残量）を報知する電池チエッカーが記載されている。
【先行技術文献】
【特許文献】
【０００５】
【特許文献１】実開平７−１６３６０号公報
【特許文献２】実用新案登録３１６６８７５号公報
【発明の概要】
【発明が解決しようとする課題】
【０００６】
しかし、上記特許文献１、２の技術は、下記の課題が新たに生じる。
容量表示器と残量センサーが電池毎に必要になるので乾電の製造コストが高くなる。
棒状の乾電池は、単一〜単四まで、大きさが異なるので全てに対応できない。
【０００７】
本発明の目的は、テスターを用いて乾電池の端子電圧を、簡単、且つ正確に計測することができる電圧測定支援アダプタの提供にある。
【課題を解決するための手段】
【０００８】
（請求項１について）
電圧測定支援アダプタは、テスターに電気接続される筒状部と薄板部とを有する導電性金具、および導電性金具の薄板部の裏面に接着剤で固定される板状の永久磁石からなり、乾電池の電極に導電性金具の薄板部の表面を磁着させて電圧測定を行う。
【０００９】
請求項１の電圧測定支援アダプタを用いた、テスターによる乾電池の端子電圧計測は、下記の手順で行う。
導電性金具の筒状部がテスターに電気接続されている。
【００１０】
乾電池の電極に導電性金具の薄板部の表面を臨ませる。
永久磁石の磁力により導電性金具の薄板部の表面が乾電池の正極・負極に磁着する。
【００１１】
請求項１の電圧測定支援アダプタは、下記の利点を有する。
導電性金具の薄板部が、永久磁石の磁力により、乾電池の正極・負極に、適切な同じ力で押し付けられるので、テスターを用いて乾電池の端子電圧を、簡単、且つ正確に計測することができる。
【００１２】
なお、大きさが異なる棒状の乾電池（単一〜単四）であっても、導電性金具の薄板部の表面が磁力で、乾電池の正極・負極に磁着するので、電圧測定支援アダプタは、乾電池の端子電圧を、テスターを用いて、簡単、且つ正確に計測することができる。
【００１３】
乾電池の電極に磁着するのは、導電性金具の薄板部であるので、裏面に固定した永久磁石の磁力を有効に使うことができる。
また、永久磁石を導電性金具の薄板部の裏面に接着剤で固定しているので、固定の際に熱が発生せず、永久磁石の磁力が低下しない。
【００１４】
（請求項２について）
テスターと導電性金具との電気接続は、テスターのテスターリード線の先端に配設した針状プローブを導電性金具の筒状部へ嵌め込んで行う。
【００１５】
請求項２の電圧測定支援アダプタを用いた、テスターによる乾電池の端子電圧計測は、下記の手順で行う。
まず、テスターのテスターリード線の先端に配設した針状プローブを導電性金具の筒状部へ嵌め込んでおく。
乾電池の電極に導電性金具の薄板部の表面を臨ませる。
永久磁石の磁力により導電性金具の薄板部の表面が乾電池の正極・負極に磁着する。
【００１６】
請求項２の電圧測定支援アダプタは、下記の利点を有する。
導電性金具の薄板部が、永久磁石の磁力により、乾電池の正極・負極に、適切な同じ力で押し付けられるので、テスターを用いて乾電池の端子電圧を、簡単、且つ正確に計測することができる。
【００１７】
なお、大きさが異なる棒状の乾電池（単一〜単四）であっても、導電性金具の薄板部の表面が磁力で、乾電池の正極・負極に磁着するので、電圧測定支援アダプタは、乾電池の端子電圧を、テスターを用いて、簡単、且つ正確に計測することができる。
【００１８】
乾電池の正極・負極に磁着するのは、導電性金具の薄板部であるので、裏面に固定した永久磁石の磁力を有効に使うことができる。
また、導電性金具の薄板部の裏面に永久磁石を接着剤で固定しているので、固定の際に熱が発生せず、永久磁石の磁力が低下しない。
【００１９】
（請求項３について）
テスターと導電性金具との電気接続は、テスタの測定端子と導電性金具の筒状部とを可撓被覆電線で接続して行う。
【００２０】
請求項３の電圧測定支援アダプタを用いた、テスターによる乾電池の端子電圧計測は、下記の手順で行う。
テスタの測定端子と導電性金具の筒状部とを可撓被覆電線で接続しておく。
【００２１】
乾電池の電極に導電性金具の薄板部の表面を臨ませる。
永久磁石の磁力により導電性金具の薄板部の表面が乾電池の正極・負極に磁着する。
【００２２】
請求項３の電圧測定支援アダプタは、下記の利点を有する。
導電性金具の薄板部が、永久磁石の磁力により、乾電池の正極・負極に、適切な同じ力で押し付けられるので、テスターを用いて乾電池の端子電圧を、簡単、且つ正確に計測することができる。
【００２３】
なお、大きさが異なる棒状の乾電池（単一〜単四）であっても、導電性金具の薄板部の表面が磁力で、乾電池の正極・負極に磁着するので、電圧測定支援アダプタは、乾電池の端子電圧を、テスターを用いて、簡単、且つ正確に計測することができる。
【００２４】
乾電池の電極に磁着するのは、導電性金具の薄板部であるので、裏面に固定した永久磁石の磁力を有効に使うことができる。
また、導電性金具の薄板部の裏面に永久磁石を接着剤で固定しているので、固定の際に熱が発生せず、永久磁石の磁力が低下しない。
【００２５】
（請求項４について）
請求項４の電圧測定支援アダプタは、可撓被覆電線の基端を導電性金具の筒状部に接続し、可撓被覆電線の先端に筒状体を取り付けている。そして、テスターのテスターリード線の先端に配設した針状プローブを、その筒状体に嵌め込んで、テスターと導電性金具とを電気接続している。
【００２６】
請求項４の電圧測定支援アダプタを用いた、テスターによる乾電池の端子電圧計測は、下記の手順で行う。
テスターのテスターリード線の先端に配設した針状プローブを、可撓被覆電線の基端に接続した導電性金具の筒状部に嵌め込んでおく。
【００２７】
乾電池の電極に導電性金具の薄板部の表面を臨ませる。
永久磁石の磁力により導電性金具の薄板部の表面が乾電池の正極・負極に磁着する。
【００２８】
請求項４の電圧測定支援アダプタは、下記の利点を有する。
導電性金具の薄板部が、永久磁石の磁力により、乾電池の正極・負極に、適切な同じ力で押し付けられるので、テスターを用いて乾電池の端子電圧を、簡単、且つ正確に計測することができる。
【００２９】
なお、大きさが異なる棒状の乾電池（単一〜単四）であっても、導電性金具の薄板部の表面が磁力で、乾電池の正極・負極に磁着するので、電圧測定支援アダプタは、乾電池の端子電圧を、テスターを用いて、簡単、且つ正確に計測することができる。
【００３０】
乾電池の正極・負極に磁着するのは、導電性金具の薄板部であるので、裏面に固定した永久磁石の磁力を有効に使うことができる。
また、導電性金具の薄板部の裏面に永久磁石を接着剤で固定しているので、固定の際に熱が発生せず、永久磁石の磁力が低下しない。
【００３１】
可撓被覆電線の基端を導電性金具の筒状部に接続し、可撓被覆電線の先端に筒状体を取り付け、テスターのテスターリード線の先端に配設した針状プローブを筒状体に嵌め込む構造である。
このため、テスター（テスター本体、テスターリード線、針状プローブ）に一切、手を加える必要がなく、テスターで他の測定を行う際に支障が出ない。
【００３２】
（請求項５について）
請求項５の電圧測定支援アダプタは、可撓被覆電線の基端を導電性金具の筒状部に接続し、可撓被覆電線の先端に針状端子を配設している。そして、針状端子をテスターの測定端子に嵌め込めば、テスターと導電性金具とが電気接続される。
【００３３】
請求項５の電圧測定支援アダプタを用いた、テスターによる乾電池の端子電圧計測は、下記の手順で行う。
可撓被覆電線の先端に配設した針状端子をテスターの測定端子に嵌め込んでおく。
【００３４】
乾電池の電極に導電性金具の薄板部の表面を臨ませる。
永久磁石の磁力により導電性金具の薄板部の表面が乾電池の正極・負極に磁着する。
【００３５】
請求項５の電圧測定支援アダプタは、下記の利点を有する。
導電性金具の薄板部が、永久磁石の磁力により、乾電池の正極・負極に、適切な同じ力で押し付けられるので、テスターを用いて乾電池の端子電圧を、簡単、且つ正確に計測することができる。
【００３６】
なお、大きさが異なる棒状の乾電池（単一〜単四）であっても、導電性金具の薄板部の表面が磁力で、乾電池の正極・負極に磁着するので、電圧測定支援アダプタは、乾電池の端子電圧を、テスターを用いて、簡単、且つ正確に計測することができる。
【００３７】
乾電池の正極・負極に磁着するのは、導電性金具の薄板部であるので、裏面に固定した永久磁石の磁力を有効に使うことができる。
また、導電性金具の薄板部の裏面に永久磁石を接着剤で固定しているので、固定の際に熱が発生せず、永久磁石の磁力が低下しない。
【００３８】
可撓被覆電線の基端を導電性金具の筒状部に接続し、可撓被覆電線の先端に針状端子を配設し、針状端子をテスターの測定端子に嵌め込む構造である。
このため、テスター（テスター本体、テスターリード線、針状プローブ）に一切、手を加える必要がなく、テスターで他の測定を行う際に支障が出ない。
【図面の簡単な説明】
【００３９】
【図１】本発明の実施例１に係る電圧測定支援アダプタを用いて乾電池の端子電圧を測定する様子を示す説明図である。
【図２】その電圧測定支援アダプタの説明図である。
【図３】（ａ）は本発明の実施例２に係る電圧測定支援アダプタの説明図であり、（ｂ）は本発明の実施例３に係る電圧測定支援アダプタの説明図であり、（ｃ）は本発明の実施例４に係る電圧測定支援アダプタの説明図である。
【発明を実施するための形態】
【００４０】
電圧測定支援アダプタは、正極・負極用の鉄製金具の薄板部の裏面に永久磁石を接着剤で固定している。そして、鉄製金具の筒状部には、テスターリード線の針状プローブが嵌め込まれる。
乾電池の正極・負極に、正極・負極用の鉄製金具の薄板部の表面を臨ませると、永久磁石の磁力により、各薄板部の表面が乾電池の正極・負極に磁着する。
【００４１】
鉄製金具（正極用・負極用）の薄板部が乾電池の正極・負極に、適切な同じ力で押し付けられるので、テスターを用いて乾電池の端子電圧を、簡単、且つ正確に計測することができる。
【実施例１】
【００４２】
本発明の実施例１（請求項１、２に対応）を図１、図２に基づいて説明する。
図１に示す電圧測定支援アダプタＡは、薄板部１１と筒状部１２とを有する正極用の鉄製金具１と、薄板部２１と筒状部２２とを有する負極用の鉄製金具２と、薄板部１１、２１の裏面に接着剤３、３で固定される永久磁石４、４とからなる。
【００４３】
正極用の鉄製金具１の薄板部１１は、略長方形状である。鉄製金具１の筒状部１２は、断面が略三角形状を呈する筒状体であり、薄板部１１の後端から後方に設けられている。  鉄製金具１の筒状部１２は、テスター５の正極用のテスターリード線５１の先端に配設した針状プローブ５２を嵌め込むためのものである。
【００４４】
負極用の鉄製金具２の薄板部２１は、略長方形状である。鉄製金具２の筒状部２１は、断面が略三角形状を呈する筒状体であり、薄板部２１の後端から後方に設けられている。  鉄製金具１の筒状部２１は、テスター５の負極用のテスターリード線５３の先端に配設した針状プローブ５４を嵌め込むためのものである。
【００４５】
接着剤３は、紫外線硬化型のＵＶレジンである。
永久磁石４、４は、円盤状を呈する。
【００４６】
実施例１の電圧測定支援アダプタＡの電圧測定支援アダプタを用いた、テスター５を使った乾電池６の端子電圧計測は、下記の手順で行う。
【００４７】
（１）テスター５の計測レンジを適正に設定しておく。テスター５の正極用のテスターリード線５１の先端に配設した針状プローブ５２を、正極用の鉄製金具１の筒状部１２に嵌め込む。テスター５の負極用のテスターリード線５３の先端に配設した針状プローブ５４を、負極用の鉄製金具２の筒状部２２に嵌め込む。
【００４８】
（２）乾電池６の正極６１に正極用の鉄製金具１の薄板部１１の表面を臨ませる。永久磁石４の磁力により正極用の鉄製金具１の薄板部１１の表面が乾電池６の正極６１に磁着する。
乾電池６の負極６２に負極用の鉄製金具２の薄板部２１の表面を臨ませる。永久磁石４の磁力により負極用の鉄製金具２の薄板部２１の表面が乾電池６の負極６２に磁着する。  
【００４９】
本実施例の電圧測定支援アダプタＡは、以下の利点を有する。
正極用・負極用の鉄製金具１、２の薄板部１１、２１が、永久磁石４、４の磁力により、乾電池６の正極６１、負極６２に、適切な同じ力で押し付けられるので、テスター５を用いて乾電池６の端子電圧を、簡単、且つ正確に計測することができる。
【００５０】
なお、大きさが異なる棒状の乾電池（単一〜単四）であっても、正極用・負極用の鉄製金具１、２の薄板部１１、２１の表面が磁力で、乾電池６の正極６１、負極６２に磁着するので、電圧測定支援アダプタＡは、乾電池６の端子電圧を、テスター５を用いて、簡単、且つ正確に計測することができる。
【００５１】
テスター５の正極６１、負極６２用のテスターリード線５１、５３の先端に配設した針状プローブ５２、５４を、正極用・負極用の鉄製金具１、２の筒状部１２、２２に嵌め込む構造であるので、テスター５（テスター本体、テスターリード線５１、５３、針状プローブ５２、５４）に一切、手を加える必要がない。このため、テスター５で他の測定を行う際に支障が出ない。
【００５２】
乾電池５の正極６１、負極６２に磁着するのは、正極用・負極用の鉄製金具１、２の薄板部１１、２１であるので、薄板部１１、２１の裏面に固定した永久磁石４、４の磁力を有効に使うことができる。
また、永久磁石４を正極用・負極用の鉄製金具１、２の薄板部１１、２１の裏面に接着剤で固定しているので、固定の際に熱が発生せず、永久磁石４、４の磁力が低下しない。
【実施例２】
【００５３】
本発明の実施例２（請求項１、３に対応）を図３の（ａ）に基づいて説明する。
図３の（ａ）に示す電圧測定支援アダプタＢは、薄板部７１と筒状部７２とを有する正極用の鉄製金具７と、薄板部８１と筒状部８２とを有する負極用の鉄製金具８と、薄板部７１、７２の裏面に接着剤３、３で固定される永久磁石４、４とからなる。
【００５４】
正極用の鉄製金具７の薄板部７１は、略長方形状である。鉄製金具７の筒状部７２は、断面が略円形の筒状体であり、薄板部７１の後端から後方に設けられている。
この鉄製金具７の筒状部７２には、基端７３がテスター（図示せず）の正極用測定端子（図示せず）に電気接続されている正極用の可撓被覆電線７４の先端７５がハンダ付けされている。
【００５５】
負極用の鉄製金具８の薄板部８１は、略長方形状である。鉄製金具８の筒状部８２は、断面が略円形の筒状体であり、薄板部８１の後端から後方に設けられている。
この鉄製金具８の筒状部８２には、基端８３がテスター（図示せず）の負極用測定端子（図示せず）に電気接続されている負極用の可撓被覆電線８４の先端８５がハンダ付けされている。
【００５６】
実施例２の電圧測定支援アダプタＢを用いた、テスターによる乾電池の端子電圧計測は、下記の手順で行う。
テスターの計測レンジを適正に設定しておく。
乾電池（図示せず）の正極に正極用の鉄製金具７の薄板部７１の表面を臨ませ、乾電池の負極に負極用の鉄製金具８の薄板部８１の表面を臨ませる。
永久磁石４の磁力により正極・負極用の鉄製金具７、８の薄板部７１、８１の表面が乾電池の正極・負極に磁着する。
【００５７】
実施例２の電圧測定支援アダプタＢは、下記の利点を有する。
正極用・負極用の鉄製金具７、８の薄板部７１、８１が、永久磁石４、４の磁力により、乾電池の正極、負極に、適切な同じ力で押し付けられるので、テスターを用いて乾電池の端子電圧を、簡単、且つ正確に計測することができる。
【００５８】
なお、大きさが異なる棒状の乾電池（単一〜単四）であっても、正極用・負極用の鉄製金具７、８の薄板部７１、８１の表面が磁力で、乾電池の正極、負極に磁着するので、電圧測定支援アダプタＢは、乾電池の端子電圧を、テスターを用いて、簡単、且つ正確に計測することができる。
【００５９】
乾電池の正極、負極に磁着するのは、正極用・負極用の鉄製金具７、８の薄板部７１、８１であるので、薄板部７１、８１の裏面に固定した永久磁石４、４の磁力を有効に使うことができる。
また、永久磁石４を正極用・負極用の鉄製金具７、８の薄板部７１、８１の裏面に接着剤で固定しているので、固定の際に熱が発生せず、永久磁石４、４の磁力が低下しない。
【実施例３】
【００６０】
本発明の実施例３（請求項１、４に対応）を図３の（ｂ）に基づいて説明する。
図３の（ｂ）に示す電圧測定支援アダプタＣは、薄板部７１と筒状部７２とを有する正極用の鉄製金具７と、薄板部８１と筒状部８２とを有する負極用の鉄製金具８と、薄板部７１、７２の裏面に接着剤３、３で固定される永久磁石４、４とからなる。
【００６１】
正極用の鉄製金具７の薄板部７１は、略長方形状である。鉄製金具７の筒状部７２は、断面が略円形の筒状体であり、薄板部７１の後端から後方に設けられている。
鉄製金具７の筒状部７２には、可撓被覆電線７４の先端７５がハンダ付けされ、可撓被覆電線７４の基端７３には、テスターの正極用のテスターリード線の先端に配設した針状プローブを嵌め込むための筒状体７６がハンダ付けされている。なお、筒状体７６は、断面が略三角形状を呈する。
【００６２】
負極用の鉄製金具８の薄板部８１は、略長方形状である。鉄製金具８の筒状部８２は、断面が略円形の筒状体であり、薄板部８１の後端から後方に設けられている。
鉄製金具８の筒状部８２には、可撓被覆電線８４の先端８５がハンダ付けされ、可撓被覆電線８４の基端８３には、テスターの正極用のテスターリード線の先端に配設した針状プローブを嵌め込むための筒状体８６がハンダ付けされている。なお、筒状体８６は、断面が略三角形状を呈する。
【００６３】
実施例３の電圧測定支援アダプタＣを用いた、テスターによる乾電池の端子電圧計測は、下記の手順で行う。
（１）テスターの計測レンジを適正に設定しておく。
テスターの正極用のテスターリード線の先端に配設した針状プローブを筒状体７６に嵌め込む。テスターの負極用のテスターリード線の先端に配設した針状プローブを筒状体８６に嵌め込む。
【００６４】
（２）乾電池の正極に正極用の鉄製金具７の薄板部７１の表面を臨ませる。永久磁石４の磁力により正極用の鉄製金具７の薄板部７１の表面が乾電池の正極に磁着する。
乾電池の負極に負極用の鉄製金具７の薄板部７１の表面を臨ませる。永久磁石４の磁力により負極用の鉄製金具７の薄板部７１の表面が乾電池の負極に磁着する。
【００６５】
本実施例の電圧測定支援アダプタＣは、以下の利点を有する。
正極用・負極用の鉄製金具７、８の薄板部７１、８１が、永久磁石４、４の磁力により、乾電池の正極、負極に、適切な同じ力で押し付けられるので、テスターを用いて乾電池の端子電圧を、簡単、且つ正確に計測することができる。
【００６６】
なお、大きさが異なる棒状の乾電池（単一〜単四）であっても、正極用・負極用の鉄製金具７、８の薄板部７１、８１の表面が磁力で、乾電池の正極、負極に磁着するので、電圧測定支援アダプタＣは、乾電池６端子電圧を、テスターを用いて、簡単、且つ正確に計測することができる。
【００６７】
テスターの正極、負極用のテスターリード線の先端に配設した針状プローブを、正極用・筒状部７６、８６に嵌め込む構造であるので、テスター（テスター本体、テスターリード線、針状プローブ）に一切、手を加える必要がない。このため、テスターで他の測定を行う際に支障が出ない。
【００６８】
乾電池の正極、負極に磁着するのは、正極用・負極用の鉄製金具７、８の薄板部７１、８１であるので、薄板部７１、８１の裏面に固定した永久磁石４、４の磁力を有効に使うことができる。
また、永久磁石４を正極用・負極用の鉄製金具７、８の薄板部７１、８１の裏面に接着剤で固定しているので、固定の際に熱が発生せず、永久磁石４、４の磁力が低下しない。  
【００６９】
本発明の実施例４（請求項１、５に対応）を図３の（ｃ）に基づいて説明する。
図３の（ｃ）に示す電圧測定支援アダプタＤは、薄板部７１と筒状部７２とを有する正極用の鉄製金具７と、薄板部８１と筒状部８２とを有する負極用の鉄製金具８と、薄板部７１、７２の裏面に接着剤３、３で固定される永久磁石４、４とからなる。
【００７０】
正極用の鉄製金具７の薄板部７１は、略長方形状である。鉄製金具７の筒状部７２は、断面が略円形の筒状体であり、薄板部７１の後端から後方に設けられている。
鉄製金具７の筒状部７２には、可撓被覆電線７４の先端７５がハンダ付けされ、可撓被覆電線７４の基端７３には、テスターの正極用測定端子に嵌め込むためのプローブ７７（針状端子）が配設されている。
【００７１】
負極用の鉄製金具８の薄板部８１は、略長方形状である。鉄製金具８の筒状部８２は、断面が略円形の筒状体であり、薄板部８１の後端から後方に設けられている。
鉄製金具８の筒状部８２には、可撓被覆電線８４の先端８５がハンダ付けされ、可撓被覆電線８４の基端８３には、テスターの負極用測定端子に嵌め込むためのプローブ８７（針状端子）が配設されている。
【００７２】
実施例４の電圧測定支援アダプタＤを用いた、テスターによる乾電池の端子電圧計測は、下記の手順で行う。
（１）テスターの計測レンジを適正に設定しておく。
プローブ７７をテスターの正極用測定端子に嵌め込む。プローブ８７をテスターの負極用測定端子に嵌め込む。
【００７３】
（２）乾電池の正極に正極用の鉄製金具７の薄板部７１の表面を臨ませる。永久磁石４の磁力により正極用の鉄製金具７の薄板部７１の表面が乾電池の正極に磁着する。
乾電池の負極に負極用の鉄製金具８の薄板部８１の表面を臨ませる。永久磁石４の磁力により負極用の鉄製金具８の薄板部８１の表面が乾電池の負極に磁着する。
【００７４】
実施例４の電圧測定支援アダプタＤは、下記の利点を有する。
正極用・負極用の鉄製金具７、８の薄板部７１、８１が、永久磁石４、４の磁力により、乾電池の正極、負極に、適切な同じ力で押し付けられるので、テスターを用いて乾電池の端子電圧を、簡単、且つ正確に計測することができる。
【００７５】
なお、大きさが異なる棒状の乾電池（単一〜単四）であっても、正極用・負極用の鉄製金具７、８の薄板部７１、８１の表面が磁力で、乾電池の正極、負極に磁着するので、電圧測定支援アダプタＢは、乾電池の端子電圧を、テスターを用いて、簡単、且つ正確に計測することができる。
【００７６】
乾電池の正極、負極に磁着するのは、正極用・負極用の鉄製金具７、８の薄板部７１、８１であるので、薄板部７１、８１の裏面に固定した永久磁石４、４の磁力を有効に使うことができる。
また、永久磁石４を正極用・負極用の鉄製金具７、８の薄板部７１、８１の裏面に接着剤で固定しているので、固定の際に熱が発生せず、永久磁石４、４の磁力が低下しない。  
【００７７】
正極・負極用の可撓被覆電線７、８の基端に配設されているプローブ７３、８３を、テスターの正極用・負極用測定端子に嵌め込む構造であるので、テスター（テスター本体、テスターリード線、針状プローブ）に一切、手を加える必要がない。このため、テスターで他の測定を行う際に支障が出ない。
【符号の説明】
【００７８】
Ａ、Ｂ、Ｃ、Ｄ  電圧測定支援アダプタ
１  正極用の鉄製金具（導電性金具）
２  負極用の鉄製金具（導電性金具）
３  接着剤
４  永久磁石
５  テスター
１１、２１  薄板部
１２、２２  筒状部
５１  正極用のテスターリード線
５２、５４  針状プローブ
５３  負極用のテスターリード線
【図１】
2017072525.tif 000003
【図２】
2017072525.tif 000004
【図３】
2017072525.tif 000005